(57)【要約】【課題】前胴回り域と後胴回り域を接合するサイド接合部による肌への刺激を抑制し、装着感を向上できる吸収性物品を提供する。【解決手段】使い捨ておむつ1は、パンツタイプの吸収性物品である。外装体には、後胴回り域の脚回り開口部に沿って配置された後脚回り弾性部材５７と、前胴回り域の脚回り開口部に沿って配置された前脚回り弾性部材５１と、が設けられている。前脚回り弾性部材５１及び後脚回り弾性部材５７が伸長した伸長状態において、脚回り開口部側に位置する端部後脚回り弾性部材５７１と幅方向に延びる仮想線ＦＬ１とがなす角度は、脚回り開口部側に位置する端部前脚回り弾性部材５１１と仮想線ＦＬ１とがなす角度よりも大きく、端部前脚回り弾性部材の幅方向の伸縮力は、端部後脚回り弾性部材の幅方向の伸縮力よりも高い。【選択図】図３
2014108271.tif 000002
【特許請求の範囲】
【請求項１】
身体前側と身体後側とに延びる前後方向、前記前後方向に直交する幅方向、前記着用者に向かう内方向、及び前記内方向と反対側に向かう外方向を有する吸収体を有する吸収性本体と、前記吸収性本体よりも前記外方向に配置される外装体と、を備え、
着用者の腹側に配置される前胴回り域と、着用者の背側に配置される後胴回り域と、前記前胴回り域と前記後胴回り域との間に位置し、着用者の股下に配置される股下域とを有し、
前記外装体の前記前胴回り域の前記幅方向外側端部と前記外装体の前記後胴回り域の前記幅方向外側端部とが接合された一対のサイド接合部が形成されることにより、前記着用者の脚が挿入される一対の脚回り開口部が設けられるパンツタイプの吸収性物品であって、
前記外装体には、前記前胴回り域又は前記後胴回り域の一方の脚回り開口部に沿って配置された複数の第１弾性部材と、前記前胴回り域又は前記後胴回り域の他方の脚回り開口部に沿って配置された複数の第２弾性部材と、が設けられており、
前記複数の第１弾性部材及び前記複数の第２弾性部材が伸長した伸長状態において、前記複数の第１弾性部材のうち最も前記脚回り開口部側に位置する端部第１弾性部材と前記幅方向に延びる仮想線とがなす角度は、前記複数の第２弾性部材のうち最も前記脚回り開口部側に位置する端部第２弾性部材と前記仮想線とがなす角度よりも大きく、
前記端部第２弾性部材の前記幅方向の伸縮力は、前記端部第１弾性部材の前記幅方向の伸縮力よりも高い、吸収性物品。
【請求項２】
前記端部第２弾性部材は、前記端部第１弾性部材よりも前記脚回り開口部側に配置されている、請求項１に記載の吸収性物品。
【請求項３】
前記端部第１弾性部材よりも前記脚回り開口部側には、前記第２弾性部材が複数配置されている、請求項２に記載の吸収性物品。
【請求項４】
前記端部第２弾性部材の伸長率は、前記複数の第２弾性部材のうち、前記端部第２弾性部材よりも前後方向外側に位置する第２弾性部材の伸長率よりも高い、請求項１から請求項３のいずれかに記載の吸収性物品。
【請求項５】
前記複数の第１弾性部材は、前記後胴回り域に配置される後脚回り弾性部材であって、
前記複数の第２弾性部材は、前記前胴回り域に配置される前脚回り弾性部材である、請求項１から請求項４のいずれかに記載の吸収性物品。
【請求項６】
前記複数の第１弾性部材は、前記前胴回り域に配置される前脚回り弾性部材であって、
前記複数の第２弾性部材は、前記後胴回り域に配置される後脚回り弾性部材である、請求項１から請求項４のいずれかに記載の吸収性物品。
【発明の詳細な説明】
【技術分野】
【０００１】
本発明は、パンツタイプの吸収性物品に関する。
【背景技術】
【０００２】
特許文献１に、着用者の腹側に配置される前身頃と着用者の背側に配置される後身頃との対応する側縁部同士が接合されて、着用者の脚回りが挿入される脚回り開口と、着用者の胴回りが挿入される胴回り開口とが形成されたパンツ型の吸収性物品が開示されている。
【０００３】
特許文献１の吸収性物品は、前身頃と後身頃とが接合された接合部において、前身頃に配置された脚回り弾性部材の端部位置と、後見頃に配置された脚回り弾性部材の端部位置と、を少なくとも１か所、前後方向にずらして配置されている。前身頃の脚回り弾性部材と後見頃の脚回り弾性部材とがずれている部分は、前身頃の脚回り弾性部材と後見頃の脚回り弾性部材とが重なる部分と比較して、接合部の剛性が低く、違和感を低減できる。
【先行技術文献】
【特許文献】
【０００４】
【特許文献１】特開２００７−２１００９号公報
【発明の概要】
【発明が解決しようとする課題】
【０００５】
しかし、特許文献１の吸収性物品には、以下の問題点があった。
【０００６】
接合部の前後方向内側端部（股下側の端部）は、着用者の脚回りに配置されている。接合部は、接合部に隣接する前身頃や後身頃よりも剛性が高く、接合部の前後方向内側端部が着用者に当たって、着用者に刺激を与えるおそれがある。
【０００７】
特許文献１の吸収性物品は、前身頃の脚回り弾性部材と後見頃の脚回り弾性部材とがずれている部分では、前身頃側の伸縮力と後見頃側の伸縮力が異なり、接合部が前身頃又は後見頃に寄せられることが考えられる。
【０００８】
しかし、前身頃の脚回り弾性部材と後見頃の脚回り弾性部材とがずれている部分において、サイド接合部の一部が前身頃側か後見頃側に寄せられた場合であっても、前後方向内側端部（股下側の端部）が前見頃又は後見頃に十分に寄せられず、接合部の前後方向内側端部が着用者の脚に当たるおそれがある。
【０００９】
そこで、本発明は、前胴回り域と後胴回り域を接合するサイド接合部による肌への刺激を抑制し、装着感を向上できる吸収性物品を提供することを目的とする。
【課題を解決するための手段】
【００１０】
本発明に係る吸収性物品は、身体前側と身体後側とに延びる前後方向、前記前後方向に直交する幅方向、前記着用者に向かう内方向、及び前記内方向と反対側に向かう外方向を有する吸収体を有する吸収性本体と、前記吸収性本体よりも前記外方向に配置される外装体と、を備え、着用者の腹側に配置される前胴回り域と、着用者の背側に配置される後胴回り域と、前記前胴回り域と前記後胴回り域との間に位置し、着用者の股下に配置される股下域とを有し、前記外装体の前記前胴回り域の前記幅方向外側端部と前記外装体の前記後胴回り域の前記幅方向外側端部とが接合された一対のサイド接合部が形成されることにより、前記着用者の脚が挿入される一対の脚回り開口部が設けられるパンツタイプの吸収性物品であって、前記外装体には、前記前胴回り域又は前記後胴回り域の一方の脚回り開口部に沿って配置された複数の第１弾性部材と、前記前胴回り域又は前記後胴回り域の他方の脚回り開口部に沿って配置された複数の第２弾性部材と、が設けられており、前記複数の第１弾性部材及び前記複数の第２弾性部材が伸長した伸長状態において、前記複数の第１弾性部材のうち最も前記脚回り開口部側に位置する端部第１弾性部材と前記幅方向に延びる仮想線とがなす角度は、前記複数の第２弾性部材のうち最も前記脚回り開口部側に位置する端部第２弾性部材と前記仮想線とがなす角度よりも大きく、前記端部第２弾性部材の前記幅方向の伸縮率は、前記端部第１弾性部材の前記幅方向の伸縮率よりも高いことを要旨とする。
【発明の効果】
【００１１】
本開示によれば、前胴回り域と後胴回り域を接合するサイド接合部による肌への刺激を抑制し、装着感を向上できる吸収性物品を提供することができる。
【図面の簡単な説明】
【００１２】
【図１】実施の形態１に係る使い捨ておむつの概略斜視図である。
【図２】実施の形態１に係る使い捨ておむつの展開平面図である。
【図３】図１に示す使い捨ておむつの伸長状態における側面図である。
【図４】図１に示す使い捨ておむつを装着した状態を示した図である。
【発明を実施するための形態】
【００１３】
次に、実施の形態に係る吸収性物品としての使い捨ておむつ１について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれ得る。
【００１４】
まず、図１及び図２に基づいて吸収性物品としての使い捨ておむつの全体構成について説明する。図１は、本実施の形態において使い捨ておむつを構成する使い捨ておむつ１の概略斜視図である。図２は、本実施の形態に係る使い捨ておむつ１の展開平面図である。使い捨ておむつ１は、パンツ型の使い捨ておむつである。
【００１５】
使い捨ておむつ１は、着用者の身体前側と身体後側とに延びる前後方向Ｌと、前後方向Ｌに直交する幅方向Ｗと、着用者に向かう内方向及び内方向と反対側に向かう外方向を有する厚み方向と、を有する。
【００１６】
使い捨ておむつ１は、図２に示すように、使い捨ておむつ１の前後方向において、着用者の前胴回りに当てられる前胴回り域Ｓ１と、着用者の後胴回りに当てられる後胴回り域Ｓ２と、着用者の股下に当てられ、前胴回り域Ｓ１と後胴回り域Ｓ２との間に位置する股下域Ｓ３と、を有する。
【００１７】
前胴回り域Ｓ１の幅方向Ｗ外側に位置する前胴回り縁部４が、後胴回り域Ｓ２の幅方向Ｗの外側に位置する後胴回り縁部４’と接合され、かつ前胴回り縁部６が、後胴回り縁部６’と接合されることによって、使い捨ておむつ１がパンツ型に形成される。パンツ型の使い捨ておむつの前胴回り域及び後胴回り域には、互いの縁部が接合されたサイド接合部１１が形成されており、股下域Ｓ３は、サイド接合部１１よりも前後方向内側の領域である。サイド接合部１１の構成及び装着時の変形態様については、後述にて詳細に説明する。
【００１８】
使い捨ておむつ１には、図１に示すように、パンツ型に形成された状態（一対のサイド接合部が形成された状態）で、着用者の腰回りを囲んで配置される腰回り開口部８と、着用者の脚回りを囲んで配置される一対の脚回り開口部９と、が形成される。
【００１９】
使い捨ておむつ１は、表面シート１０、吸収体４０及び吸収体裏面シート（図示せず）等を含む吸収性本体１Ａと、前側外装シート７０Ｆ、後側外装シート７０Ｒ等を含む外装体１Ｂと、から構成されており、これらは互いに、接着剤や熱融着などによって接合されている。
【００２０】
外装体１Ｂは、前胴回り域と股下域とに跨って配置される前側外装シート７０Ｆと、後胴回り域と股下域とに跨って配置される後側外装シート７０Ｒと、前胴回り域から後胴回り域に亘って配置される外装センターシート１００と、を含み、使い捨ておむつ１の外装部分を構成する。外装体１Ｂは、吸収体４０を含む吸収性本体１Ａよりも外方向に位置し、使い捨ておむつの非肌当接側の面に配置される。
【００２１】
前側外装シート７０Ｆは、前胴回り域Ｓ１と股下域Ｓ３とに跨がって配置されており、使い捨ておむつの前側端部において幅方向に沿った折り目を基点に内方向に折り返されている。前側外装シート７０Ｆの折り返されたシート間には、外装センターシート１００が配置されている。後側外装シート７０Ｒは、後胴回り域Ｓ２と股下域Ｓ３とに跨がって配置されており、使い捨ておむつの後側端部において幅方向に沿った折り目を基点に内方向に折り返されている。後側外装シート７０Ｒの折り返されたシート間には、外装センターシート１００が配置されている。
【００２２】
前側外装シート７０Ｆ及び後側外装シート７０Ｒは、エアスルー不織布、スパンボンド不織布、ＳＭＳ不織布、防水フィルムなどによって形成できる。本実施の形態に係る前側外装シート７０Ｆ及び後側外装シート７０Ｒは、ポリプロピレンからなる目付２０g/m2のスパンボンド不織布によって形成されている。
【００２３】
外装センターシート１００は、前側外装シート７０Ｆと、後側外装シート７０Ｒとを繋ぐ。よって、前側外装シート及び後側外装シートが前後方向に離間する形態において、吸収性本体１Ａがむき出しになることを防止することができる。更に、製造過程において、離間した前側外装体と後側外装体とを連結した状態で、脚回り開口部を形成したり、吸収性本体１Ａと貼り合わせたりすることができる。
【００２４】
外装センターシート１００は、エアスルー不織布、スパンボンド不織布、ＳＭＳ不織布、防水フィルムなどによって形成できる。本実施の形態に係る外装センターシート１００は、ポリプロピレンからなる目付１５g/ m2のＳＭＳ不織布によって形成されている。
【００２５】
吸収性本体１Ａは、表面シート１０、吸収体裏面シート及びレッグサイドギャザーを含み、外装体１Ｂよりも着用者側に配置される。
【００２６】
表面シート１０は、着用者の肌に直接的に接し得る肌当接面を形成するシートである。表面シート１０は、吸収体４０よりも肌当接面側に配置される。表面シート１０は、親水性不織布や織物、開口プラスチックフィルム、開口疎水性不織布などの液透過性のシートによって形成されている。本実施の形態に係る表面シート１０は、ポリプロピレンからなる目付２０ｇ/ｍ２の親水性スパンボンド不織布によって形成されている。表面シート１０は、吸収体４０の肌当接側の面よりも幅方向両側に延出し、吸収体の幅方向外側端部を覆って吸収体の非肌当接面側に到達している。
【００２７】
表面シート１０の非肌当接面側には、セカンドシートが設けられていてもよい。セカンドシートを設けることにより、体液の吸収速度を速くすることができ、かつ吸収後における体液の逆戻りを抑制することができる。
【００２８】
吸収体４０は、表面シート１０と、吸収体裏面シートとの間にホットメルト型接着剤によって接合される。ホットメルト型接着剤は、複合シート及び裏面シートにそれぞれ塗工され、例えば、スパイラル塗工方法により、それぞれ目付5g/m2，8g/m2で塗られる。
【００２９】
吸収体４０は、粉砕パルプや高吸収性ポリマーなどの混合粉体で形成される。平面視にて、吸収体４０の形状は、略砂時計形状である。
【００３０】
吸収体裏面シートは、吸収体４０の非肌当接面側に設けられている。吸収体裏面シートは、液不透過性フィルムなど（例えば、ポリエチレン）のシートによって形成されている。吸収体裏面シートは、吸収体よりも外方向に配置され、かつ液不透過性である。吸収体裏面シートは、吸収体４０よりも前後方向外側に延出して配置されている。
【００３１】
レッグサイドギャザーは、起立性のギャザーである。レッグサイドギャザーは、防漏サイドシート３２と、レッグサイド弾性部材３３と、股下弾性部材３４と、を有し、吸収体４０の幅方向端部において前後方向に沿って配置されている。防漏サイドシート３２は、吸収体４０の幅方向Ｗの両側端に配置されている。防漏サイドシート３２は、液不透過性の不織布などのシートによって形成されている。防漏サイドシート３２の幅方向の一方の端部は、吸収体の非肌当接面側に折り返された表面シートに接合されており、防漏サイドシート３２の幅方向の他方の端部は、吸収体４０の幅方向側部から表面シート側に折り返され、表面シート１０の肌当接面側の面に接合されている。
【００３２】
防漏サイドシート３２は、吸収性本体１Ａの前後方向両端部においてホットメルト接着剤によって表面シート等に接合されている。防漏サイドシート３２は、吸収性本体１Ａの前後方向中央部において表面シート等に接合されてなく、表面シートから着用者側に立ち上がって配置される。
【００３３】
レッグサイド弾性部材３３は、折り返された防漏サイドシート３２間に配置されている。レッグサイド弾性部材は、左右に離間して配置された防漏サイドシート３２の幅方向内側端部において、前後方向に沿って２本ずつ配置されている。レッグサイド弾性部材３３の少なくとも一部は、吸収体の幅狭部４２よりも幅方向外側に配置されている。レッグサイド弾性部材が前後方向に収縮することにより、レッグサイドギャザーが着用者側に立ち上がる。
【００３４】
股下弾性部材３４は、折り返された防漏サイドシート３２間に配置されている。股下弾性部材３４は、レッグサイド弾性部材よりも幅方向外側に位置し、前後方向に沿って２本ずつ配置されている。
【００３５】
本実施の形態のレッグサイド弾性部材３３は、６２０ｄｔｅｘの太さ、３．０倍の伸長率で、左右２本ずつ伸長固定される。股下弾性部材３４は、４７０ｄｔｅｘの太さ、２．７倍の伸長率で、左右２本ずつ伸長固定される。
【００３６】
前胴回り域Ｓ１及び後胴回り域Ｓ２には、少なくとも幅方向に伸縮する弾性部材が設けられる。前胴回り域Ｓ１の外装体１Ｂには、幅方向に伸縮する前弾性部材５０が複数設けられており、後胴回り域Ｓ２の外装体１Ｂには、幅方向に伸縮する後弾性部材５５が複数設けられている。
【００３７】
前弾性部材５０は、全て幅方向に沿って配置されている。前弾性部材５０は、合成ゴムなどの細長いゴムからなり、１４本配置されている。各前弾性部材５０間の距離は、１０ｍｍである。具体的には、脚回り開口部側（前後方向中心側）から、６２０ｄｔｅｘの太さの弾性部材が２本配置され、７８０ｄｔｅｘの太さの弾性部材が８本配置され、４７０Ｄｔｅｘの太さの弾性部材が４本配置されている。いずれの弾性部材も、２．１倍の伸長率で配置されている。また、前弾性部材５０は、腰回り開口部８の近傍に配置された前腰回り弾性部材５３を有する。前腰回り弾性部材５３は、９４０ｄｔｅｘの太さ、３．４倍の伸長率で５本固定されている。
【００３８】
前弾性部材５０のうち、脚回り開口部側（前後方向中心側）に配置された２本の弾性部材の一部は、脚回り開口部に沿って配置され、前脚回り弾性部材５１を構成する。前弾性部材５０は、前脚回り弾性部材５１と、前脚回り弾性部材５１よりも前後方向外側に位置する前胴回り弾性部材５２と、を有する。
【００３９】
後弾性部材５５は、脚回り開口部に沿って配置された３本の後脚回り弾性部材５７と、後脚回り弾性部材５７よりも前後方向外側に位置する後胴回り弾性部材５６と、を有する。胴回り弾性部材５６は、幅方向に沿って配置されている。胴回り弾性部材５６は、７８０ｄｔｅｘの太さ、２．１倍の伸長率で、１０本伸長固定される。
【００４０】
本実施の形態の後脚回り弾性部材５７は、６２０ｄｔｅｘの太さであり、吸収体と重なっている領域では、２．３倍以下（具体的には、１．４倍）であり、吸収体と重なっていない領域では、２．３倍の伸長率である。
【００４１】
また、後弾性部材５５は、腰回り開口部８の近傍に配置された後腰回り弾性部材５８を有する。後腰回り弾性部材５８は、９４０ｄｔｅｘの太さ、３．４倍の伸長率で５本固定されている。
【００４２】
前弾性部材５０及び後弾性部材５５は、伸長された状態で接着剤（例えばホットメルト接着剤）によって、前側外装シート７０Ｆと外装センターシート１００の間、及び後側外装シート７０Ｒと外装センターシート１００の間に接合されている。
【００４３】
次いで、図３及び図４を参照して、前弾性部材５０及び後弾性部材５５の構成及びサイド接合部の変形状態について説明する。図３は、前弾性部材５０及び後弾性部材５５が伸長した伸長状態における使い捨ておむつ１の側面図である。図４は、使い捨ておむつを装着した状態を示した図である。
【００４４】
なお、伸長状態とは、第１弾性部材としての後脚回り弾性部材５７及び第２弾性部材としての前脚回り弾性部材５１が伸長した状態であり、具体的には、使い捨ておむつを所定の円筒に装着した状態である。
【００４５】
円筒の寸法は、以下のように設定できる。まず、使い捨ておむつを構成する外装体であって、前弾性部材と後弾性部材が配置されていない状態の外装体を用意する。この弾性部材が配置されていない状態の外装体の前側端部におけるサイド接合部１１間の距離を測定する。この外装体の前側端部におけるサイド接合部１１間の距離をＬ１１とする。また、弾性部材が配置されていない状態の外装体の後側端部におけるサイド接合部１１間の距離を測定する。外装体の後側端部におけるサイド接合部１１間の距離をＬ１２とする。更に、前胴回り域の前後方向の寸法を測定し、この寸法をＬ１３とする。後胴回り域の前後方向の寸法を測定し、この寸法をＬ１４とする。
【００４６】
外装体の前側端部におけるサイド接合部１１間の距離Ｌ１１と外装体の後側端部におけるサイド接合部１１間の距離Ｌ１２とを合計し、その合計長さ×０．８を算出する。算出した値をＸとする。円筒の外周の長さは、Ｘとする。円筒の軸方向の長さは、Ｌ１３及びＬ１４以上とする。
【００４７】
後脚回り弾性部材５７は、幅方向に延びる直線状の直線部５７Ｓと、直線部５７Ｓよりも幅方向両外側に位置し、かつ幅方向内側から幅方向外側に向かって前後方向内側である前側から前後方向外側である後側に延びる曲線状の曲線部５７Ｃと、を有する。
【００４８】
直線部５７Ｓは、幅方向に沿って配置され後胴回り弾性部材５６と平行に配置されている。曲線部５７Ｃは、後胴回り域Ｓ２側の脚回り開口部９に沿って配置されている。
【００４９】
後脚回り弾性部材５７は、３本設けられており、後脚回り弾性部材のうち、最も脚回り開口部側に配置されている端部後脚回り弾性部材５７１は、幅方向に延びる仮想線ＦＬ１に対して傾斜している。一方、前脚回り弾性部材５１は、２本設けられており、前脚回り弾性部材５１のうち、最も脚回り開口部側に配置されている端部前脚回り弾性部材５１１は、幅方向に延びる仮想線ＦＬ１に沿って配置されている。
【００５０】
よって、端部後脚回り弾性部材５７１と仮想線とがなす角度αは、端部前脚回り弾性部材５１１と仮想線とがなす角度（実施の形態では、０度）よりも大きい。本実施の形態では、後脚回り弾性部材５７が第１弾性部材を構成し、前脚回り弾性部材５１が第２弾性部材を構成する。
【００５１】
なお、本実施の形態の端部前脚回り弾性部材５１１は、幅方向に沿って配置されているが、端部前脚回り弾性部材５１１が幅方向に対して傾斜していてもよい。その場合、端部前脚回り弾性部材５１１と仮想線ＦＬ１とがなす角が、端部後脚回り弾性部材５７１と仮想線とがなす角度αよりも小さくなるように構成されていればよい。
【００５２】
また、端部第２弾性部材である端部前脚回り弾性部材５１１の幅方向の伸縮力は、端部第１弾性部材である端部後脚回り弾性部材５７１の幅方向の伸縮力より高くなるように構成されている。
【００５３】
幅方向の伸縮力とは、端部第２弾性部材による伸縮力のうち、幅方向に伸縮する力であり、端部第１弾性部材による伸縮力のうち、幅方向において伸縮する力である。
【００５４】
幅方向の伸縮力は、以下の方法によって測定することができる。
【００５５】
使い捨ておむつを切り取り、測定対象となるサンプルを用意する。サンプルの寸法は、幅：脇部下端部より５０ｍｍとして、長さ：腰周り方向に伸ばした状態で１５０ｍｍとする。次いで、切り取ったサンプルを自然状態で引張試験機にセットする。チャック同士を繋ぐ方向が使い捨ておむつの幅方向に沿うようにサンプルをセットする。セット時のチャック間の距離は、３０ｍｍとする。伸長率が９０％、すなわちチャック間が５７mmになったときの引張力を求める。この引張力を、幅方向の伸縮力とする。
【００５６】
また、本実施の形態における伸長率とは、使い捨ておむつの伸長させた伸長状態における伸長率である。また、伸長率は、例えば、以下の方法によって測定できる。
【００５７】
弾性部材を伸長させた状態で製品を固定し、直線部(インナー幅方向両端部間)及び曲線部(係止の内側から前記インナー幅方向両端部)の寸法を測定する(この寸法をIとする)。前記記載した直線部及び曲線部に印を入れた後、弾性部材部分にて製品をカットする。ホットメルト等の付着物を完全に取り除いた後、ものさしにて非伸長状態の弾性部材を真直ぐに置いた状態で寸法を測定する(この寸法をIIとする)。I/IIの計算値を伸長率とする。
【００５８】
端部後脚回り弾性部材５７１と仮想線とがなす角度αは、端部前脚回り弾性部材５１１と仮想線とがなす角度（実施の形態では、０度）よりも大きいため、端部後脚回り弾性部材５７１による幅方向に沿った収縮力よりも、端部前脚回り弾性部材５１１による幅方向に沿った収縮力が高くなり易い。
【００５９】
よって、前胴回り域と後胴回り域とを接合するサイド接合部１１は、脚回り開口部近傍において、比較的収縮力が高い前脚回り弾性部材５１によって前胴回り域側に引き寄せられる。よって、サイド接合部の前後方向内側端部（脚回り開口部側の端部）を、前胴回り域側に引き寄せることができる。サイド接合部の前後方向内側端部（脚回り開口部側の端部）が前胴回り域と後胴回り域との間に配置されている構成と比較して、サイド接合部の前後方向内側端部と着用者との接触圧を低減することができ、着用者の装着感が向上する。
【００６０】
また、着用者が椅子等に座った姿勢や寝た姿勢では、使い捨ておむつの後胴回り域に着用者の体重が掛かる。そのため、サイド接合部の前後方向内側端部が後胴回り域側に引き寄せられると、サイド接合部の前後方向内側端部が身体に刺激を与えることがある。しかし、サイド接合部の前後方向内側端部を前胴回り域側に引き寄せることにより、座った姿勢や寝姿勢における刺激を抑制できる。更に、サイド接合部の前後方向内側端部を前胴回り域側に引き寄せることにより、着用者の後側に位置する脚回り開口部を広く形成でき、装着時の脚の引っかかりを抑制できる。
【００６１】
サイド接合部１１を前胴回り域側に引き寄せることにより、サイド接合部を体の前後方向のラインに対して傾斜させることができる。例えば、サイド接合部が前側及び後側に寄せられていない状態では、サイド接合部の前後方向内側端部と、脚回り開口部とは略直角に交わる。このように直角に交わった状態では、サイド接合部の前後方向内側端部の刺激が更に強くなる。
【００６２】
しかし、サイド接合部を体の前後方向のラインに対して傾斜することにより、サイド接合部の前後方向内側端部が脚回り開口部に対して直交せず、着用者の脚回りへの刺激を抑制できる。
【００６３】
また、サイド接合部の脚回り開口部側の端部が、前胴回り域側又は後胴回り域側（本実施の形態では前胴回り域側）にずれて配置されるため、サイド接合部の脚回り開口部側の端部が身体のラインに対して略垂直に配置される構成と比較して、脚周り開口部を広く形成できる。よって、装着時に脚が通しやすくなり、また装着した状態で脚の可動範囲を広く取ることができる。
【００６４】
端部第２弾性部材としての端部前脚回り弾性部材５１１は、端部第１弾性部材としての端部後脚回り弾性部材５７１よりも脚回り開口部側に配置されている。よって、端部前脚回り弾性部材５１１によってサイド接合部１１の脚回り開口部側の端部を前胴回り域側に引き寄せることができる。
【００６５】
なお、本実施の形態では、端部前脚回り弾性部材５１１に隣接する前脚回り弾性部材５１２は、サイド接合部１１において、端部後脚回り弾性部材５７１と重なっている。前脚回り弾性部材５１２と端部後脚回り弾性部材５７１とが重なった領域では、両弾性部材によって前胴回り域及び後胴回り域の両方にサイド接合部が引き寄せられる。しかし、前脚回り弾性部材５１２と端部後脚回り弾性部材５７１とが重なった領域よりも脚回り開口部側には、端部前脚回り弾性部材５１１のみが配置されており、前弾性部材５０の伸縮力のみが作用する。よって、端部前脚回り弾性部材５１１によってサイド接合部の脚回り開口部側の端部を、前胴回り域側に引き寄せることができる。
【００６６】
なお、上述した使い捨ておむつ１を構成する各部材は、例えば、特開２００６−３４６４３９号公報に記載された材料を用いてもよい。
【００６７】
上述したように、本発明の実施の形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００６８】
本実施の形態では、前脚回り弾性部材５１は、端部後脚回り弾性部材５７１よりも脚回り開口部側に１本配置されているが、前脚回り弾性部材５１は、端部後脚回り弾性部材５７１よりも脚回り開口部側に２本以上配置されていてもよい。前弾性部材５０によって、サイド接合部の前後方向内側端部をより効果的に引き寄せることができる。
【００６９】
また、前脚回り弾性部材の伸長率と後脚回り弾性部材の伸長率とを同じ倍率で構成してもよいし、前脚回り弾性部材の伸長率を、後脚回り弾性部材の伸長率を高く構成することによって、サイド接合部の前後方向内側端部を前胴回り域側に引き寄せるように構成してもよい。
【００７０】
更に、前弾性部材５０の伸長率を、脚回り開口部側に向かうにつれて高くなるように構成し、後弾性部材５５の伸長率を、脚回り開口部側に向うにつれて低くなるように構成し、サイド接合部の前後方向内側端部を前胴回り域側に引き寄せるように構成してもよい。
【００７１】
また、端部前脚回り弾性部材５１１の伸長率を、複数の前弾性部材５０のうち、端部前脚回り弾性部材５１１よりも前後方向外側に位置する前弾性部材の伸長率を高く構成してもよい。このように、端部前脚回り弾性部材５１１の伸長率を高く構成することにより、サイド接合部の脚回り開口部側の端部を効果的に幅方向にずらすことができる。
【００７２】
また、前脚回り弾性部材５１と後脚回り弾性部材５７において、太さ、本数、及び伸長率を同じ構成としてもよい。このような構成によれば、前脚回り弾性部材５１と後脚回り弾性部材５７の収縮力は略同じとなる。しかし、例えば、後脚回り弾性部材５７が、前脚回り弾性部材５１よりも幅方向に対して傾斜していることにより、幅方向における収縮力が前脚回り弾性部材５１よりも低くなる。その結果、複数の前脚回り弾性部材の幅方向における伸縮力が、複数の後脚回り弾性部材の幅方向における伸縮力よりも高くなるように構成される。
【００７３】
また、本実施の形態及び変形例においては、サイド接合部を前胴回り域側に引き寄せるように構成しているが、この構成に限られない。複数の第１弾性部材は、前胴回り域に配置される前脚回り弾性部材であって、複数の第２弾性部材は、後胴回り域に配置される後脚回り弾性部材であってもよい。すなわち、前弾性部材５０と後弾性部材５５の構成を入れ替えて、サイド接合部を後胴回り域側に引き寄せるように構成してもよい。
【００７４】
例えば、上述した実施の形態では、パンツ型の使い捨ておむつとして説明したが、本発明は、これに限定されるものではなく、ショーツ型ナプキンであってもよい。
【００７５】
このように、本発明は、ここでは記載していない様々な実施の形態などを含むことは勿論である。従って、本発明の技術的範囲は、上述の説明から妥当な特許請求の範囲に係る発明特定事項によってのみ定められるものである。
【符号の説明】
【００７６】
１…使い捨ておむつ（吸収性物品）
３…ウエストギャザー
３Ａ…ウエスト弾性部材
５…レッグギャザー
５１…前脚回り弾性部材
５７……後脚回り弾性部材
７…胴回りギャザー
７Ａ…胴回り弾性部材
１０…表面シート
３２…防漏サイドシート
３３…レッグサイド弾性部材
４０…吸収体
５２…直線部
５３…曲線部
７０Ｆ…前側外装シート
７０Ｒ…後側外装シート
１００…外装センターシート
Ｓ１…前胴回り域
Ｓ２…後胴回り域
Ｓ３…股下域
【図１】
2014108271.tif 000003
【図２】
2014108271.tif 000004
【図３】
2014108271.tif 000005
【図４】
2014108271.tif 000006